(57)【特許請求の範囲】
【請求項１】
（ａ）端子部材を備えるカードを収容するハウジングと、
（ｂ）該ハウジングに取付けられ、前記カードの端子部材と接触する接続端子と、
（ｃ）前記ハウジングに挿入されたカードを保持してスライドするスライド部材、及び、該スライド部材をカードの挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動してオーバーストローク位置まで到達すると、前記付勢部材の付勢力によって、前記カードをオーバーストローク位置から挿入方向と反対の方向に移動させて排出するカード案内機構と、
（ｄ）前記ハウジングに取付けられ、少なくとも前記ハウジング及び該ハウジングに挿入されたカードの一部を覆うカバー部材とを有し、
（ｅ）前記カードは、その前端の一端に形成された傾斜部を含み、
（ｆ）前記スライド部材は、前記ハウジングの前端縁に向けて延出する側縁保持部と、該側縁保持部の前端に連結され、前記ハウジングの幅方向に延在する前端保持部とを含み、前記ハウジングの底壁部の一方の側縁に沿って前後方向にスライド可能であり、前記前端保持部の少なくとも先端は、表裏を逆にした姿勢で誤挿入された前記カードの前端における傾斜部外の範囲に当接し、
（ｇ）前記ハウジングは、前記前端縁における前記スライド部材の反対側に形成され、誤挿入された前記カードの前端又は後端が当接する誤挿入防止凸部を含むことを特徴とするカード用コネクタ。
【請求項２】
前記誤挿入防止凸部は斜めに切欠かれた傾斜部を含み、
前記カードが正規挿入されると、前記カードの傾斜部が前記誤挿入防止凸部の傾斜部に対向する請求項１に記載のカード用コネクタ。
【請求項３】
前記ハウジングは、後端縁における前記スライド部材側に形成された挿入口凸部を含み、
前記カードと異なる種類のカードであって、前記カードよりも幅の狭い非正規カードが幅方向に傾いて誤挿入されると、前記挿入口凸部又は前記カバー部材の側板部が前記非正規カードの側縁に当接し、前記非正規カードの幅方向の傾きを規制する請求項１又は２に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種メモリカードを利用するために、カード用コネクタを備えている。
【０００３】
近年、電子機器の急速な小型化に伴って、メモリカード及びカード用コネクタは、急速に小型化される傾向にある。また、カード用コネクタは、表示画面、操作ボタン等の部材の配設場所を避けて、電子機器の側面、裏面等の比較的視認しにくい場所に配設されることが多くなっている。そのため、カードが表裏逆向きで挿入されること、すなわち、誤挿入されてしまうことがある。そして、カードが誤挿入されると、カードの外側のパッド以外の部分がカード用コネクタの接続端子に当接するので、該接続端子が折曲がったり、破損したりしてしまう。そこで、カードの誤挿入を防止するカード用コネクタが提案されている（例えば、特許文献１参照。）。
【０００４】
図１１は従来のカード用コネクタのスライダの要部拡大斜視図である。
【０００５】
図において、８２３は、合成樹脂等の絶縁性材料から成るスライダであり、カード用コネクタのハウジングにスライド可能に取付けられ、カード用コネクタに挿入されたカードとともに、スライドする部材である。前記スライダ８２３は、カードの側縁に沿ってスライド方向に延在する本体部８２３ｂと、該本体部８２３ｂの前端に直交するように接続され、カードの前縁に沿ってカード用コネクタの幅方向に延在する保持部８２３ｃとを備える。
【０００６】
また、本体部８２３ｂと保持部８２３ｃとの接続部分には、カードの前縁の一端側の角部を切欠くように形成された傾斜面部に当接する傾斜当接部８２４が形成されている。さらに、前記保持部８２３ｃから本体部８２３ｂに沿って延出する棒状の弾性変形部８２６が形成されている。該弾性変形部８２６は、カードの傾斜面部が傾斜当接部８２４に当接する際にはカードの傾斜面部に当接しないが、カードの前縁の他端側の角部が本体部８２３ｂに沿って挿入された際には、前記角部に当接する程度の長さに形成されている。なお、前記角部が本体部８２３ｂに沿って挿入された際に、前記角部が傾斜当接部８２４に当接しないようにするために、該傾斜当接部８２４には、弾性変形部８２６の延出する方向にほぼ直交する面８２５が形成されている。
【０００７】
そして、カードが適正な姿勢で挿入された場合、すなわち、正規挿入の場合には、カードの前縁の一端側の角部に形成された傾斜面部が傾斜当接部８２４に当接し、カードの前縁が保持部８２３ｃに保持され、カードの側縁が本体部８２３ｂに保持されるので、スライダ８２３は、カードとともに挿入方向にスライドする。
【０００８】
一方、カードが不適正な姿勢、例えば、表裏逆向きで挿入された場合のような誤挿入の場合には、カードの前縁の他端側の角部が弾性変形部８２６の先端に当接し、該先端に形成された傾斜面８２６ａに乗上げる。そのため、弾性変形部８２６の先端が下方に弾性的に変位し、傾斜面８２６ａの反対側に形成された係止突起８２６ｂが図示されないハウジングの床面に形成された係止凹部と係合する。そのため、スライダ８２３がスライド不能となるので、誤挿入されたカードのそれ以上の前進が阻止される。これにより、誤挿入されたカードによって、カード用コネクタ内部の接続端子等が損傷を受けることを防止することができる。
【先行技術文献】
【特許文献】
【０００９】
【特許文献１】特開２００３−２４３０９２号公報
【発明の概要】
【発明が解決しようとする課題】
【００１０】
しかしながら、前記従来のカード用コネクタにおいては、カード用コネクタが本来対象とする種類のカード、すなわち、正規種類のカードが表裏逆向きのような不適正な姿勢で挿入された場合には、カードの挿入を防止することが可能であるが、カード用コネクタが本来対象としない種類のカード、すなわち、非正規種類のカードであって、正規種類のカードよりも小型のカードが挿入された場合には、カードの挿入を防止することが不可能である。
【００１１】
近年では、多数の種類のカードが市販され、かつ、サイズがほぼ同等でありながら、異なる種類のカードが市販されている。そのため、利用者は、正規種類のカードと取違えて、異なる種類のカードをカード用コネクタに挿入してしまうことがある。特に、異なる種類のカードが、正規種類のカードと同等の長さ寸法でありながら、幅寸法が正規種類のカードよりも小さなカードである場合、弾性変形部８２６の先端に当接することがないので、カード用コネクタ内への挿入を防止することができない。そして、カード用コネクタ内の奥深くにまで挿入されてしまった場合、カードの姿勢が安定しないので、カードがハウジング等に引掛って取出しが不可能になることがある。
【００１２】
本発明は、前記従来のカード用コネクタの問題点を解決して、簡素な構成でありながら、カードの奥深くまでの誤挿入を確実に防止することができるとともに、誤挿入されたカードであっても確実に取出すことができる信頼性の高いカード用コネクタを提供することを目的とする。
【課題を解決するための手段】
【００１３】
そのために、本発明のカード用コネクタにおいては、端子部材を備えるカードを収容するハウジングと、該ハウジングに取付けられ、前記カードの端子部材と接触する接続端子と、前記ハウジングに挿入されたカードを保持してスライドするスライド部材、及び、該スライド部材をカードの挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動してオーバーストローク位置まで到達すると、前記付勢部材の付勢力によって、前記カードをオーバーストローク位置から挿入方向と反対の方向に移動させて排出するカード案内機構と、前記ハウジングに取付けられ、少なくとも前記ハウジング及び該ハウジングに挿入されたカードの一部を覆うカバー部材とを有し、前記カードは、その前端の一端に形成された傾斜部を含み、前記スライド部材は、前記ハウジングの前端縁に向けて延出する側縁保持部と、該側縁保持部の前端に連結され、前記ハウジングの幅方向に延在する前端保持部とを含み、前記ハウジングの底壁部の一方の側縁に沿って前後方向にスライド可能であり、前記前端保持部の少なくとも先端は、表裏を逆にした姿勢で誤挿入された前記カードの前端における傾斜部外の範囲に当接し、前記ハウジングは、前記前端縁における前記スライド部材の反対側に形成され、誤挿入された前記カードの前端又は後端が当接する誤挿入防止凸部を含む。
【００１４】
本発明の他のカード用コネクタにおいては、さらに、前記誤挿入防止凸部は斜めに切欠かれた傾斜部を含み、前記カードが正規挿入されると、前記カードの傾斜部が前記誤挿入防止凸部の傾斜部に対向する。
【００１６】
本発明の更に他のカード用コネクタにおいては、さらに、前記ハウジングは、後端縁における前記スライド部材側に形成された挿入口凸部を含み、前記カードと異なる種類のカードであって、前記カードよりも幅の狭い非正規カードが幅方向に傾いて誤挿入されると、前記挿入口凸部又は前記カバー部材の側板部が前記非正規カードの側縁に当接し、前記非正規カードの幅方向の傾きを規制する。
【発明の効果】
【００１７】
本発明によれば、カード用コネクタは、簡素な構成でありながら、カードの奥深くまでの誤挿入を確実に防止することができるとともに、誤挿入されたカードであっても確実に取出すことができ、信頼性を高くすることができる。
【図面の簡単な説明】
【００１８】
【図１】本発明の実施の形態におけるカード用コネクタの分解図である。
【図２】本発明の実施の形態におけるカード用コネクタを示す斜視図である。
【図３】本発明の実施の形態におけるカード用コネクタのシェルを取除いた状態を示す平面図である。
【図４】本発明の実施の形態におけるカード用コネクタに挿入されるカードの斜視図であり、（ａ）は斜め上から観た図、（ｂ）は斜め下から観た図である。
【図５】本発明の実施の形態における正規種類のカードを挿入する動作を示すシェルを取除いた状態の第１の平面図であり、（ａ）は正規挿入の動作を示す図、（ｂ）は第１の誤挿入の動作を示す図である。
【図６】本発明の実施の形態における正規種類のカードを挿入する動作を示すシェルを取除いた状態の第２の平面図であり、（ａ）は第２の誤挿入の動作を示す図、（ｂ）は第３の誤挿入の動作を示す図である。
【図７】本発明の実施の形態における非正規種類のカードを挿入する動作を示すシェルの天板部を取除いた状態の第１の平面図であり、（ａ）は第１の誤挿入の動作を示す図、（ｂ）は第２の誤挿入の動作を示す図である。
【図８】本発明の実施の形態における非正規種類のカードを挿入する動作を示すシェルの天板部を取除いた状態の第２の平面図であり、（ａ）は第３の誤挿入の動作を示す図、（ｂ）は第４の誤挿入の動作を示す図である。
【図９】本発明の実施の形態における非正規種類のカードを挿入する動作を示すシェルの天板部を取除いた状態の第３の平面図であり、（ａ）は第５の誤挿入におけるオーバーストローク位置を示す図、（ｂ）は第５の誤挿入におけるロック位置を示す図である。
【図１０】本発明の実施の形態における非正規種類のカードを挿入する動作を示すシェルの天板部を取除いた状態の第４の平面図である。
【図１１】従来のカード用コネクタのスライダの要部拡大斜視図である。
【発明を実施するための形態】
【００１９】
以下、本発明の実施の形態について図面を参照しながら詳細に説明する。
【００２０】
図１は本発明の実施の形態におけるカード用コネクタの分解図、図２は本発明の実施の形態におけるカード用コネクタを示す斜視図、図３は本発明の実施の形態におけるカード用コネクタのシェルを取除いた状態を示す平面図、図４は本発明の実施の形態におけるカード用コネクタに挿入されるカードの斜視図である。なお、図４において、（ａ）は斜め上から観た図、（ｂ）は斜め下から観た図である。
【００２１】
図において、１は本実施の形態におけるカード用コネクタであり、図示されない電子機器に取付けられる。そして、前記カード用コネクタ１の内部にはカード１０１が挿入され、前記カード用コネクタ１を介して、前記電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２２】
本実施の形態におけるカード用コネクタ１が本来対象とする種類のカード、すなわち、正規種類のカードとしてのカード１０１は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、マイクロＳＩＭ（ｍｉｃｒｏＳＩＭ）カードであるものとして説明する。
【００２３】
本実施の形態において、前記カード１０１は、図４に示されるように、全体的に略矩（く）形の板状の形状を有し、前端１１１ｆ寄りの部分の下面１１１ａに、端子部材である電極パッドとしての前側コンタクトパッド１６１が、複数、前端１１１ｆに沿って並ぶように配設されている。また、後端１１１ｒ寄りの部分の下面１１１ａには、端子部材である電極パッドとしての後側コンタクトパッド１５１が、複数、後端１１１ｒに沿って並ぶように配設されている。すなわち、電極パッドは、カード１０１の幅方向に延在する２本の列を成すように配列され、そのうち、前端１１１ｆ側の列が前側コンタクトパッド１６１から成り、後端１１１ｒ側の列が後側コンタクトパッド１５１から成る。なお、上面１１１ｂには、前側コンタクトパッド１６１も後側コンタクトパッド１５１も、配設されていない。さらに、前端１１１ｆの左右両端と側縁１１２とを結合する角部の一方、具体的には、上面１１１ｂにおける前方左角部には、斜めに切欠かれた傾斜部としての切欠部１１１ｃが形成されている。
【００２４】
なお、本実施の形態において、カード用コネクタ１及びカード１０１の各部の構成及び動作を説明するために使用される上、下、左、右、前、後等の方向を示す表現は、絶対的なものでなく相対的なものであり、カード用コネクタ１、カード１０１又はそれらの部品が図に示される姿勢である場合に適切であるが、カード用コネクタ１、カード１０１又はそれらの部品の姿勢が変化した場合には、姿勢の変化に応じて変更して解釈されるべきものである。
【００２５】
ここで、前記カード用コネクタ１は、合成樹脂等の絶縁性材料によって一体的に成形されたハウジング１１と、金属等の導電性材料から成る板材に打抜き、折曲げ等の加工を施すことによって一体的に成形され、ハウジング１１の上側に取付けられたカバー部材としてのシェル７１とを有する。該シェル７１は、ハウジング１１及び該ハウジング１１に挿入されたカード１０１の少なくとも一部の上方を覆うようになっている。そして、前記カード用コネクタ１は、概略、扁（へん）平な直方体形状を備え、前記電子機器に取付けられ、後方（図２における左上方）の挿入口１８から、ハウジング１１にカード１０１が挿入される。具体的には、ハウジング１１とシェル７１との間に形成される空間内にカード１０１が挿入される。
【００２６】
図に示されるように、ハウジング１１は、略矩形の平板状部材である底壁部１１ｂ、及び、ハウジング１１におけるカード１０１の挿入方向前方の縁部、すなわち、前端縁１１ｆに沿って延在し、底壁部１１ｂから立設する奥壁部１１ａを有する。
【００２７】
ここで、底壁部１１ｂは、接続端子のうちの後側に配設された後側接続端子としての後側端子５１を保持する端子保持凹部としての後側端子保持凹部１１ｃと、接続端子のうちの前側に配設された前側接続端子としての前側端子６１を保持する端子保持凹部としての前側端子保持凹部１１ｄとを備える。前記後側端子保持凹部１１ｃは、底壁部１１ｂを板厚方向に貫通する開口であり、ハウジング１１におけるカード１０１の挿入方向後方の縁部、すなわち、後端縁１１ｒに沿ってハウジング１１の幅方向に延在する列を成すように、並んで配設されている。そして、各後側端子保持凹部１１ｃ内には、後側端子５１が１つずつ収容されて保持される。また、前記前側端子保持凹部１１ｄは、底壁部１１ｂを板厚方向に貫通する開口であり、ハウジング１１の前端縁１１ｆと後端縁１１ｒとの間においてハウジング１１の幅方向に延在する列を成すように、並んで配設されている。そして、各前側端子保持凹部１１ｄ内には、前側端子６１が１つずつ収容されて保持される。
【００２８】
後側端子５１は、その基部５１ａの少なくとも一部が底壁部１１ｂに埋込まれ、また、その他の部分が後側端子保持凹部１１ｃ内に露出している。具体的には、後側端子５１は、いわゆるオーバーモールド成形によって、すなわち、ハウジング１１は、後側端子５１をあらかじめ内部にセットした金型のキャビティ内に絶縁性材料を充填（てん）することによって成形され、基部５１ａの少なくとも一部が、底壁部１１ｂを構成する絶縁性材料によって覆われることにより、底壁部１１ｂに埋込まれて保持されている。
【００２９】
同様に、前側端子６１も、その基部６１ａの少なくとも一部が底壁部１１ｂに埋込まれ、また、その他の部分が前側端子保持凹部１１内ｄに露出している。具体的には、前側端子６１は、いわゆるオーバーモールド成形によって、すなわち、ハウジング１１は、前側端子６１をあらかじめ内部にセットした金型のキャビティ内に絶縁性材料を充填することによって成形され、基部６１ａの少なくとも一部が、底壁部１１ｂを構成する絶縁性材料によって覆われることにより、底壁部１１ｂに埋込まれて保持されている。
【００３０】
そして、後側端子５１は、基部５１ａに基端が連結されたカンチレバー状の接触腕部５１ｂと、該接触腕部５１ｂの自由端、すなわち、先端に接続された接触部５１ｃとを備える。前記接触腕部５１ｂは、その基端が後端縁１１ｒ側に位置し、その先端が前端縁１１ｆに向けて斜め上方に延在し、少なくとも接触部５１ｃの上面は、カード挿入空間内にカード１０１が挿入されていない状態では、底壁部１１ｂの上面より上方に位置している。なお、接触部５１ｃは、上方に向けて突出するように湾曲された側面形状を備え、その先端は斜め下方を向いている。図３に示されるように、接触腕部５１ｂ及び接触部５１ｃは、上方から観て、後側端子保持凹部１１ｃ内に位置する。
【００３１】
また、前記後側端子５１は、後方に向けて突出する湾曲部を含み、下側前端が基部５１ａの後端に連結され、上側前端が接触腕部５１ｂの後端に連結される図示されない接触腕支持部と、基部５１ａの中央に形成された開口部５１ｇとを備える。そして、該開口部５１ｇ、湾曲部を含む接触腕支持部、接触腕部５１ｂ及び接触部５１ｃは、底壁部１１ｂに埋込まれることなく、後側端子保持凹部１１ｃ内に露出している。すなわち、後側端子５１は、前方の部分と左右両側方の部分が底壁部１１ｂに埋込まれて固定され、後方の部分は底壁部１１ｂに埋込まれることなく、固定されていない。
【００３２】
同様に、前側端子６１は、基部６１ａに基端が連結されたカンチレバー状の接触腕部６１ｂと、該接触腕部６１ｂの自由端、すなわち、先端に接続された接触部６１ｃとを備える。前記接触腕部６１ｂは、その基端が後端縁１１ｒ側に位置し、その先端が前端縁１１ｆに向けて斜め上方に延在し、少なくとも接触部６１ｃの上面は、カード挿入空間内にカード１０１が挿入されていない状態では、底壁部１１ｂの上面より上方に位置している。なお、接触部６１ｃは、上方に向けて突出するように湾曲された側面形状を備え、その先端は斜め下方を向いている。図３に示されるように、接触腕部６１ｂ及び接触部６１ｃは、上方から観て、前側端子保持凹部１１ｄ内に位置する。
【００３３】
なお、前側端子６１は、湾曲部を含む接触腕支持部に相当する部分を備えておらず、基部６１ａは、その前側端子保持凹部１１ｄの後端より後方の部分が底壁部１１ｂに埋込まれており、前記基部６１ａの前端には接触腕部６１ｂの基端が連結されている。そして、接触腕部６１ｂは、その先端が前端縁１１ｆに向けて斜め上方に延在するカンチレバー状の部材であってばねとして機能する部材であるが、十分なばね長を確保するために、後側端子５１の接触腕部５１ｂよりも、長く形成されている。
【００３４】
前記後側端子５１及び前側端子６１は、接触部５１ｃ及び接触部６１ｃが、カード用コネクタ１内に保持されたカード１０１の後側コンタクトパッド１５１及び前側コンタクトパッド１６１の各々に接触するように、配設されている。したがって、後側端子５１及び前側端子６１の数及び配置の形態は、カード１０１の後側コンタクトパッド１５１及び前側コンタクトパッド１６１の数及び配置の形態に適合するように、適宜変更される。図に示される例では、後側端子５１及び前側端子６１は、３つずつであり、上面から観て、矩形格子状に配列されている。
【００３５】
また、後側端子５１の基部５１ａには、図示されない細長い帯状の連結部の一端が連結されている。前記連結部は、ハウジング１１の前後方向に延在し、底壁部１１ｂに埋込まれている。そして、前記連結部の他端からはソルダーテール部５１ｄが前方に向けて延出し、前端縁１１ｆから前方に突出するように露出している。そして、ソルダーテール部５１ｄは、前記電子機器における配線基板等に形成された信号線、コンタクトパッド、端子等、すなわち、相手側端子部材に、はんだ付等によって電気的に接続される。なお、各後側端子５１の連結部は、前方に位置する前側端子６１の側方を通過して前端縁１１ｆに到達するように配置されている。
【００３６】
同様に、前側端子６１の基部６１ａにも、図示されない細長い帯状の連結部の一端が連結されている。前記連結部は、ハウジング１１の前後方向に延在し、底壁部１１ｂに埋込まれている。そして、前記連結部の他端からはソルダーテール部６１ｄが前方に向けて延出し、前端縁１１ｆから前方に突出するように露出している。そして、ソルダーテール部６１ｄは、前記電子機器における配線基板等に形成された信号線、コンタクトパッド、端子等、すなわち、相手側端子部材に、はんだ付等によって電気的に接続される。
【００３７】
そして、ハウジング１１は、その一方の側縁に沿って前後方向に延在する側壁部１１ｅを有する。該側壁部１１ｅの内側には、カード案内機構収容部１１ｈ、スライドカム部２１、及び、付勢部材収容部１１ｇが形成されている。なお、１１ｊは、前記側壁部１１ｅとカード１０１が挿入されて収容される空間とを仕切る仕切壁部であり、前後方向に延在する。そして、カード案内機構収容部１１ｈには、カード用コネクタ１内に挿入されたカード１０１を案内するためのカード案内機構のスライド部材２３が前後方向にスライド可能に取付けられている。これにより、前記スライド部材２３は、底壁部１１ｂの一方の側縁に沿って前後方向にスライドすることができる。また、前記スライドカム部２１は、プッシュ／プッシュタイプの動作を行うためのハート状カムのカム機構におけるスライドカムとして機能する部材であり、その上面には、カム溝２２が形成されている。さらに、前記付勢部材収容部１１ｇ内には、圧縮された状態で付勢力を発揮するコイルスプリングとしての付勢部材８２が収容される。なお、前記スライドカム部２１の後端面は、付勢部材８２の付勢力を受ける付勢力受部として機能するとともに、付勢部材８２を係止する係止突起１１ｉが形成され、付勢部材８２の一端が取付けられている。
【００３８】
前記スライド部材２３は、カード１０１を保持するためのカード保持部２３ａと、溝状のカード案内機構収容部１１ｈ内をスライドするガイド部２３ｄと、一端が前記カム溝２２に係合するカム部材としての細長いピン部材８１の他端が係合するカム係合部２３ｅと、付勢部材８２の一端を係止する係止突起２３ｆとを備える。これにより、前記スライド部材２３は、付勢部材８２によって、カード１０１の挿入方向と反対の方向、すなわち、カード１０１の排出方向に付勢される。なお、前記カード保持部２３ａは、前方に向けて延出する細長い帯状の側縁保持部２３ｂと、該側縁保持部２３ｂの前端に連結され、ハウジング１１の幅方向に延在する細長い帯状の前端保持部２３ｃと、前記カード保持部２３ａの後端から側縁保持部２３ｂの前端まで延在する内側面部２３ｇとを含んでいる。該内側面部２３ｇは、前後方向に延在する細長い帯状の平坦（たん）面であり、前記仕切壁部１１ｊの内側（図３における右側）に位置し、前記仕切壁部１１ｊの内側の一部を覆っている。そして、スライド部材２３は、カード保持部２３ａの側縁保持部２３ｂ及び前端保持部２３ｃによってカード１０１を保持し、該カード１０１とともに前後方向に移動する。
【００３９】
このようなカード案内機構を備えるカード用コネクタ１は、該カード用コネクタ１内にカード１０１を挿入する際にも、カード用コネクタ１内からカード１０１を取出す際にも、カード１０１を押込む動作を必要とする、いわゆる、プッシュインプッシュアウトタイプ、又は、プッシュ／プッシュタイプと通称されるものである。このような動作は、押ボタンスイッチの分野におけるオルタネイト動作（位置保持型、プッシュオン・プッシュオフ型）と同様のものである。前記ピン部材８１とカム溝２２とが協働することによって、カード１０１とともに移動するスライド部材２３にプッシュ／プッシュの動作を行わせるようになっている。これにより、前記カード案内機構は、カード１０１を挿入方向に押込むプッシュ動作によってカード１０１が挿入方向に移動して終端点まで到達すると、前記付勢部材８２の付勢力によって、前記カード１０１を終端点から挿入方向と反対の方向に移動させて排出することができる。また、ロック位置においては、スライド部材２３が停止し、これにより、カード１０１がカード用コネクタ１の内部に保持される。
【００４０】
前記ピン部材８１は、シェル７１のピン押え部材７５によって上から下方向に付勢されることにより保持されている。前記ピン押え部材７５は、シェル７１の一部をハウジング１１の底壁部１１ｂの方向に押圧可能に折曲げ加工することによって形成されたばね性を備える板状の部材であり、ピン部材８１は、前記ピン押え部材７５とスライド部材２３又はハウジング１１との間に位置し、スライド部材２３又はハウジング１１から離脱しないように保持されている。
【００４１】
また、前記シェル７１は、概略矩形の天板部７２と、該天板部７２の側縁の複数箇所から立設する複数の側板部７４とを有する。該側板部７４には、複数の掛止開口７３が形成され、図２に示されるように、シェル７１をハウジング１１の上側に取付けると、該ハウジング１１の側壁部１１ｅ等の外側面に形成された掛止突起１３に前記掛止開口７３が掛止され、これにより、シェル７１がハウジング１１に固定される。
【００４２】
また、該ハウジング１１の前端縁１１ｆの近傍には、カード１０１の後側コンタクトパッド１５１及び前側コンタクトパッド１６１と後側端子５１及び前側端子６１とが接触していることを検出して、カード１０１がカード用コネクタ１に装填されていることを検出するカード検出スイッチが配設されている。該カード検出スイッチは、奥壁部１１ａ及びその近傍に取付けられた第１接点部材６２と、大部分が底壁部１１ｂに埋込まれた第２接点部材６３とによって形成される。
【００４３】
前記第１接点部材６２は、奥壁部１１ａに取付けられた取付部６２ａ、基端が前記取付部６２ａに接続され、横方向に向けて延出するカンチレバー状の本体部６２ｂ、及び、該本体部６２ｂの自由端に接続された当接部６２ｃを有する。そして、前記取付部６２ａは奥壁部１１ａの側面とほぼ平行となり、本体部６２ｂは、カード１０１がカード用コネクタ１に挿入されていない状態においては、奥壁部１１ａの側面に対して傾斜し、当接部６２ｃは、カード１０１の挿入方向に関して手前側に向けて、すなわち、後方に向けて突出するように配設されている。そのため、カード１０１が挿入されると、該カード１０１の前端１１１ｆが当接部６２ｃに当接する。
【００４４】
一方、前記第２接点部材６３は、底壁部１１ｂにおける奥壁部１１ａ寄りの部分に埋込まれた平板状の取付部６３ａと、基端が前記取付部６３ａに接続され、先端が底壁部１１ｂから露出する接触部６３ｂとを有する。
【００４５】
そして、カード１０１が挿入されていない状態においては、図３に示されるように、第１接点部材６２の本体部６２ｂが第２接点部材６３の接触部６３ｂと接触しているので、第１接点部材６２と第２接点部材６３とは接触しており、カード検出スイッチは導通状態、すなわち、オン（ＯＮ）になっている。
【００４６】
しかし、カード１０１が挿入され、その後側コンタクトパッド１５１及び前側コンタクトパッド１６１と後側端子５１及び前側端子６１とが接触する位置に到達すると、カード１０１の前端１１１ｆによって第１接点部材６２の当接部６２ｃが奥壁部１１ａの方向に向けて押されて変位し、第１接点部材６２の本体部６２ｂが第２接点部材６３の接触部６３ｂから離間する。これにより、第１接点部材６２と第２接点部材６３とが非接触となり、カード検出スイッチは非導通状態、すなわち、オフ（ＯＦＦ）になる。
【００４７】
また、ハウジング１１の前端縁１１ｆにおける側壁部１１ｅの反対側（図３における右側）の端部には、底壁部１１ｂから立設する第１の誤挿入防止部としての誤挿入防止凸部２５が形成されている。該誤挿入防止凸部２５は、その上面が奥壁部１１ａの上面と面一となるように高さ寸法が設定されるとともに、前記奥壁部１１ａよりも後方へ向けて突出するように形成されている。そして、前記誤挿入防止凸部２５の後面部２５ａにおけるハウジング１１の幅方向内側（図３における左側）角部には、斜めに切欠かれた傾斜部としての切欠部２５ｃが形成されている。
【００４８】
なお、前記後面部２５ａは、ハウジング１１の幅方向、すなわち、カード１０１の挿入方向に直交する方向に延在する面であるが、切欠部２５ｃと比較して小さな部分であって、誤挿入防止凸部２５におけるハウジング１１の幅方向外側（図３における右側）端に位置する。
【００４９】
さらに、前記切欠部２５ｃにおけるハウジング１１の幅方向内側端には、矩形状に切欠かれた段差部としての補助切欠部２５ｂが形成されている。該補助切欠部２５ｂ内には、前記後面部２５ａと平行な段差面としての補助後面部２５ｄが形成されている。
【００５０】
また、ハウジング１１の後端縁１１ｒにおける側壁部１１ｅ側には、底壁部１１ｂから立設する第２の誤挿入防止部としての挿入口凸部２６が形成されている。該挿入口凸部２６におけるハウジング１１の幅方向内側の端面は、カード保持部２３ａの内側面部２３ｇとほぼ面一となり、挿入口１８の側壁部１１ｅ側端を画定する。
【００５１】
次に、前記構成のカード用コネクタ１の動作について説明する。まず、正規種類のカードであるカード１０１が挿入される場合の動作について説明する。
【００５２】
図５は本発明の実施の形態における正規種類のカードを挿入する動作を示すシェルを取除いた状態の第１の平面図、図６は本発明の実施の形態における正規種類のカードを挿入する動作を示すシェルを取除いた状態の第２の平面図である。なお、図５において、（ａ）は正規挿入の動作を示す図、（ｂ）は第１の誤挿入の動作を示す図であり、図６において、（ａ）は第２の誤挿入の動作を示す図、（ｂ）は第３の誤挿入の動作を示す図である。
【００５３】
まず、正規挿入の動作について説明する。この場合、利用者が手指等によってカード１０１をカード用コネクタ１の後方の挿入口１８からハウジング１１とシェル７１との間に形成されるカード挿入空間内に挿入する。なお、カード１０１は、前端１１１ｆがハウジング１１の前端縁１１ｆの方を向き、下面１１１ａが底壁部１１ｂと対向し、上面１１１ｂがシェル７１の天板部７２と対向するような姿勢、すなわち、正規姿勢で挿入される。これにより、カード１０１は、切欠部１１１ｃの形成されていない方の側縁１１２が内側面部２３ｇに沿って進行する。
【００５４】
続いて、利用者がカード１０１をプッシュして更に押込むと、スライド部材２３の側縁保持部２３ｂ及び前端保持部２３ｃがカード１０１の側縁１１２及び前端１１１ｆを保持するので、前記カード１０１は、スライド部材２３によって保持され、該スライド部材２３とともに、奥壁部１１ａに向けて移動する。この際、利用者の手指等が発揮する押圧力は、カード１０１の前端１１１ｆから前端保持部２３ｃを介してスライド部材２３に伝達される。そして、該スライド部材２３がコイルスプリングから成る付勢部材８２を圧縮するので、スライド部材２３及びカード１０１は、付勢部材８２の反発力を受けるが、該反発力が利用者の手指等が発揮する押圧力よりも小さいので、前記反発力に抗して移動する。この場合、スライド部材２３はカード案内機構収容部１１ｈに沿ってスライドし、カード１０１はスライド部材２３とともに進行する。そして、スライド部材２３及びカード１０１は、最も前進した位置であるオーバーストローク位置に到達してオーバーストローク状態となる。
【００５５】
前記カード１０１の切欠部１１１ｃが誤挿入防止凸部２５の切欠部２５ｃに対向しており、オーバーストローク状態では、前記切欠部１１１ｃと切欠部２５ｃとは近接又は当接する。当接する場合には、当接によってスライド部材２３及びカード１０１が、オーバーストローク位置よりも前進することが防止される。また、スライドカム部２１の上面に形成されたカム溝２２と係合しているピン部材８１の自由端が、カム溝２２の一部に掛止されてスライド部材２３の動きを停止させることによって、スライド部材２３を前記オーバーストローク位置で停止させるようになっているところ、カード１０１の切欠部１１１ｃが誤挿入防止凸部２５の切欠部２５ｃに当接することにより、ピン部材８１及びカム溝２２が過大な負荷を受けることが防止される。
【００５６】
続いて、利用者がカード１０１をプッシュする動作を止め、該カード１０１に対する押圧力を解除すると、付勢部材８２の反発力によって、スライド部材２３及びカード１０１は奥壁部１１ａから離脱する向きに、すなわち、後方に向けて移動させられる。そして、スライド部材２３及びカード１０１は、図５（ａ）に示されるように、カード用コネクタ１内でカード１０１をロックした状態で保持するロック位置で停止する。これは、スライドカム部２１の上面に形成されたカム溝２２と係合しているピン部材８１の自由端が、カム溝２２の一部に掛止されてスライド部材２３の動きを停止させることによって、スライド部材２３を前記ロック位置で停止させているからである。なお、図５（ａ）においては、説明の都合上、ピン部材８１の図示が省略されている。
【００５７】
そして、カード１０１は、ロック位置に保持されることによって、カード用コネクタ１が実装された電子機器の演算手段等との間でデータの送受信を行うことができる状態となる。なお、カード１０１がロック位置に保持されている場合、カード用コネクタ１の後側端子５１及び前側端子６１は、その接触部５１ｃ及び接触部６１ｃが、カード１０１の後側コンタクトパッド１５１及び前側コンタクトパッド１６１の各々に接触して導通している。また、カード検出スイッチの第１接点部材６２の当接部６２ｃは、カード１０１の前端１１１ｆによって前方に押出されて変位し、本体部６２ｂが第２接点部材６３の接触部６３ｂから離間している。これにより、第１接点部材６２と第２接点部材６３とが非接触となり、カード検出スイッチはオフになっている。
【００５８】
ところで、利用者がカード１０１をプッシュする際には、通常、手指等によってカード１０１の後端１１１ｒを押すことになる。仮に、ハウジング１１の底壁部１１ｂが前後方向に長く形成され、後端縁１１ｒの位置が、ロック位置で保持されているカード１０１の後端１１１ｒの位置よりも後方であると、利用者がカード１０１をプッシュしてロック位置よりも前方のオーバーストローク位置にまで前進させる際に、手指等がハウジング１１の後端縁１１ｒに当接してしまい、プッシュする動作が行いにくくなる。すなわち、操作性が低下してしまう。
【００５９】
しかし、本実施の形態におけるカード用コネクタ１では、前述のように、後側端子５１の後方の部分が底壁部１１ｂに埋込まれて固定される必要がないので、後側端子５１を後端縁１１ｒに近接した位置に配設することができる。これにより、後端縁１１ｒから接触部５１ｃまでの距離を短くすることができ、カード１０１の後端１１１ｒから後側コンタクトパッド１５１までの距離が短い場合であっても、カード１０１をオーバーストローク位置にまで前進させる際に、カード１０１の後端１１１ｒを後端縁１１ｒよりも前方に大きく挿入する必要がない。したがって、操作性が低下することがない。
【００６０】
次に、カード１０１をカード用コネクタ１から排出させる動作について説明する。
【００６１】
まず、利用者が手指等によってカード１０１をプッシュして押込むと、スライド部材２３及びカード１０１は、ロック位置から奥壁部１１ａに向けて移動させられる。そして、利用者がカード１０１をプッシュして更に押込むと、スライド部材２３及びカード１０１は、最も前進した位置であるオーバーストローク位置に到達してオーバーストローク状態となる。
【００６２】
続いて、利用者がカード１０１をプッシュする動作を止め、該カード１０１に対する押込力を解除すると、付勢部材８２の付勢力によって、オーバーストローク位置に位置しているスライド部材２３及びカード１０１は、奥壁部１１ａから離脱する向きに移動させられ、挿入方向と反対の方向に移動させられる。そして、スライド部材２３及びカード１０１は、ロック位置を通過して後方に向けて更に移動し、カード１０１が挿入口１８から排出される。
【００６３】
次に、誤挿入の動作について説明する。まず、第１の誤挿入として、図５（ｂ）に示されるように、カード１０１の表裏を逆にした非正規姿勢での誤挿入について説明する。
【００６４】
この場合、カード１０１は、前端１１１ｆがハウジング１１の前端縁１１ｆの方を向き、上面１１１ｂが底壁部１１ｂと対向し、下面１１１ａがシェル７１の天板部７２と対向するような姿勢で挿入される。これにより、カード１０１は、切欠部１１１ｃの形成されている方の側縁１１２が内側面部２３ｇに沿って進行する。
【００６５】
続いて、利用者がカード１０１をプッシュして更に押込むと、スライド部材２３の側縁保持部２３ｂ及び前端保持部２３ｃがカード１０１の側縁１１２及び前端１１１ｆを保持するので、前記カード１０１は、スライド部材２３によって保持され、該スライド部材２３とともに、奥壁部１１ａに向けて移動する。なお、前記前端保持部２３ｃの長さは、カード１０１の表裏を逆にした非正規姿勢での誤挿入であっても、少なくともその先端が前端１１１ｆにおける切欠部１１１ｃ外の範囲に当接する程度に設定されている。
【００６６】
しかし、カード１０１がある程度前進すると、図５（ｂ）に示されるように、カード１０１の前端１１１ｆにおける切欠部１１１ｃと反対側（図５（ｂ）における右側）の端が誤挿入防止凸部２５の後面部２５ａに当接することによってカード１０１の前進が阻止される。すなわち、カード１０１は、その前端１１１ｆが誤挿入防止凸部２５の後面部２５ａに当接することによって停止する。この場合のカード１０１の位置、すなわち、誤挿入防止凸部２５の後面部２５ａに当接することによるカード１０１の停止位置は、図５（ａ）に示されるロック位置よりも挿入方向手前側、すなわち、奥壁部１１ａからより離れた位置であって、カード１０１の前端１１１ｆがカード検出スイッチの第１接点部材６２の当接部６２ｃに当接しない位置である。そのため、第１接点部材６２の本体部６２ｂが第２接点部材６３の接触部６３ｂとの接触を維持し、第１接点部材６２と第２接点部材６３とが接触となっていて、カード検出スイッチはオンのままになっている。
【００６７】
つまり、カード１０１の表裏を逆にした非正規姿勢での誤挿入は、カード１０１の前端１１１ｆが誤挿入防止凸部２５の後面部２５ａに当接することによって防止される。この場合、カード検出スイッチがカード１０１の挿入を検出することもない。また、カード１０１は、オーバーストローク位置どころかロック位置にも到達せずに停止させられるので、このまま利用者がカード１０１をプッシュする動作を止めて該カード１０１に対する押圧力を解除すると、付勢部材８２の反発力によって、カード１０１は、後方に向けて移動させられ、挿入口１８から排出される。
【００６８】
次に、第２の誤挿入として、図６（ａ）に示されるように、カード１０１の表裏を逆にし、かつ、前後を逆にした非正規姿勢での誤挿入について説明する。
【００６９】
この場合、カード１０１は、後端１１１ｒがハウジング１１の前端縁１１ｆの方を向き、上面１１１ｂが底壁部１１ｂと対向し、下面１１１ａがシェル７１の天板部７２と対向するような姿勢で挿入される。これにより、カード１０１は、切欠部１１１ｃの形成されていない方の側縁１１２が内側面部２３ｇに沿って進行する。
【００７０】
続いて、利用者がカード１０１をプッシュして更に押込むと、スライド部材２３の側縁保持部２３ｂ及び前端保持部２３ｃがカード１０１の側縁１１２及び後端１１１ｒを保持するので、前記カード１０１は、スライド部材２３によって保持され、該スライド部材２３とともに、奥壁部１１ａに向けて移動する。
【００７１】
しかし、カード１０１がある程度前進すると、図６（ａ）に示されるように、カード１０１の後端１１１ｒにおけるスライド部材２３と反対側（図６（ａ）における右側）の端が誤挿入防止凸部２５の後面部２５ａに当接することによってカード１０１の前進が阻止される。すなわち、カード１０１は、その後端１１１ｒが誤挿入防止凸部２５の後面部２５ａに当接することによって停止する。この場合のカード１０１の位置、すなわち、誤挿入防止凸部２５の後面部２５ａに当接することによるカード１０１の停止位置は、図５（ａ）に示されるロック位置よりも挿入方向手前側、すなわち、奥壁部１１ａからより離れた位置であって、カード１０１の後端１１１ｒがカード検出スイッチの第１接点部材６２の当接部６２ｃに当接しない位置である。そのため、第１接点部材６２の本体部６２ｂが第２接点部材６３の接触部６３ｂとの接触を維持し、第１接点部材６２と第２接点部材６３とが接触となっていて、カード検出スイッチはオンのままになっている。
【００７２】
つまり、カード１０１の表裏を逆にし、かつ、前後を逆にした非正規姿勢での誤挿入は、カード１０１の後端１１１ｒが誤挿入防止凸部２５の後面部２５ａに当接することによって防止される。この場合、カード検出スイッチがカード１０１の挿入を検出することもない。また、カード１０１は、オーバーストローク位置どころかロック位置にも到達せずに停止させられるので、このまま利用者がカード１０１をプッシュする動作を止めて該カード１０１に対する押圧力を解除すると、付勢部材８２の反発力によって、カード１０１は、後方に向けて移動させられ、挿入口１８から排出される。
【００７３】
次に、第３の誤挿入として、図６（ｂ）に示されるように、カード１０１の前後を逆にした非正規姿勢での誤挿入について説明する。
【００７４】
この場合、カード１０１は、後端１１１ｒがハウジング１１の前端縁１１ｆの方を向き、下面１１１ａが底壁部１１ｂと対向し、上面１１１ｂがシェル７１の天板部７２と対向するような姿勢で挿入される。これにより、カード１０１は、切欠部１１１ｃの形成されている方の側縁１１２が内側面部２３ｇに沿って進行する。
【００７５】
続いて、利用者がカード１０１をプッシュして更に押込むと、スライド部材２３の側縁保持部２３ｂ及び前端保持部２３ｃがカード１０１の側縁１１２及び後端１１１ｒを保持するので、前記カード１０１は、スライド部材２３によって保持され、該スライド部材２３とともに、奥壁部１１ａに向けて移動する。
【００７６】
しかし、カード１０１がある程度前進すると、図６（ｂ）に示されるように、カード１０１の後端１１１ｒにおけるスライド部材２３と反対側（図６（ｂ）における右側）の端が誤挿入防止凸部２５の後面部２５ａに当接することによってカード１０１の前進が阻止される。すなわち、カード１０１は、その後端１１１ｒが誤挿入防止凸部２５の後面部２５ａに当接することによって停止する。この場合のカード１０１の位置、すなわち、誤挿入防止凸部２５の後面部２５ａに当接することによるカード１０１の停止位置は、図５（ａ）に示されるロック位置よりも挿入方向手前側、すなわち、奥壁部１１ａからより離れた位置であって、カード１０１の後端１１１ｒがカード検出スイッチの第１接点部材６２の当接部６２ｃに当接しない位置である。そのため、第１接点部材６２の本体部６２ｂが第２接点部材６３の接触部６３ｂとの接触を維持し、第１接点部材６２と第２接点部材６３とが接触となっていて、カード検出スイッチはオンのままになっている。
【００７７】
つまり、カード１０１の前後を逆にした非正規姿勢での誤挿入は、カード１０１の後端１１１ｒが誤挿入防止凸部２５の後面部２５ａに当接することによって防止される。この場合、カード検出スイッチがカード１０１の挿入を検出することもない。また、カード１０１は、オーバーストローク位置どころかロック位置にも到達せずに停止させられるので、このまま利用者がカード１０１をプッシュする動作を止めて該カード１０１に対する押圧力を解除すると、付勢部材８２の反発力によって、カード１０１は、後方に向けて移動させられ、挿入口１８から排出される。
【００７８】
このように、カード用コネクタ１のハウジング１１に誤挿入防止凸部２５が形成されているので、カード１０１の非正規姿勢での誤挿入が確実に防止される。
【００７９】
次に、非正規種類のカードが挿入される場合の動作について説明する。
【００８０】
図７は本発明の実施の形態における非正規種類のカードを挿入する動作を示すシェルの天板部を取除いた状態の第１の平面図、図８は本発明の実施の形態における非正規種類のカードを挿入する動作を示すシェルの天板部を取除いた状態の第２の平面図、図９は本発明の実施の形態における非正規種類のカードを挿入する動作を示すシェルの天板部を取除いた状態の第３の平面図、図１０は本発明の実施の形態における非正規種類のカードを挿入する動作を示すシェルの天板部を取除いた状態の第４の平面図である。なお、図７において、（ａ）は第１の誤挿入の動作を示す図、（ｂ）は第２の誤挿入の動作を示す図であり、図８において、（ａ）は第３の誤挿入の動作を示す図、（ｂ）は第４の誤挿入の動作を示す図であり、図９において、（ａ）は第５の誤挿入におけるオーバーストローク位置を示す図、（ｂ）は第５の誤挿入におけるロック位置を示す図である。
【００８１】
本実施の形態におけるカード用コネクタ１が本来対象とする種類のカード以外の種類のカード、すなわち、非正規種類のカードは多数存在する。しかし、カード用コネクタ１に誤挿入される可能性のある非正規種類のカードは、実質的には、正規種類のカードと同等又はそれ以下のサイズのカードに限られる。また、利用者が正規種類のカードと取違えやすい非正規種類のカードは、正規種類のカードと同等のサイズのカードであると考えられる。特に、正規種類のカードと同等の長さ寸法を備えながら、より小さな幅寸法を備える非正規種類のカードは、カード用コネクタ１の奥深くにまで挿入された場合に、姿勢が安定しないので、ハウジング１１等に引掛って取出しが不可能になることがある。
【００８２】
そこで、本実施の形態においては、正規種類のカードとしてのカード１０１がマイクロＳＩＭカードであるものとして説明しているので、非正規種類のカードがマイクロＳＤ（Ｒ）カードであるものとし、これを非正規カード２０１として説明する。
【００８３】
該非正規カード２０１は、図に示されるように、全体的に略矩形の板状の形状を有し、前端２１１ｆ寄りの部分の下面２１１ａに、端子部材である電極パッドとしてのコンタクトパッド２６１が、複数、前端２１１ｆに沿って並ぶように配設されている。すなわち、電極パッドは、非正規カード２０１の幅方向に延在する１本の列を成すように配列されている。なお、上面２１１ｂには、コンタクトパッド２６１が配設されていない。さらに、前端２１１ｆの左右両端と側縁２１２とを結合する角部の一方、具体的には、上面２１１ｂにおける前方右角部には、切欠かれた切欠部２１１ｃが形成されている。
【００８４】
また、マイクロＳＤ（Ｒ）カードである非正規カード２０１の長さ寸法（前端２１１ｆと後端２１１ｒとの間の距離）は、マイクロＳＩＭカードであるカード１０１と同等の約１５．０〔ｍｍ〕であり、幅寸法（左右の側縁２１２間の距離）は、前記カード１０１よりも小さな約１１．０〔ｍｍ〕である。
【００８５】
まず、非正規カード２０１の第１の誤挿入として、図７（ａ）に示されるように、非正規カード２０１をカード１０１の正規姿勢と同様の姿勢、すなわち、非正規カード２０１は、前端２１１ｆがハウジング１１の前端縁１１ｆの方を向き、下面２１１ａが底壁部１１ｂと対向し、上面２１１ｂがシェル７１の天板部７２と対向するような姿勢として、スライド部材２３側に寄せてカード用コネクタ１の挿入口１８から挿入する場合について説明する。
【００８６】
この場合、非正規カード２０１は、切欠部２１１ｃの形成されている方の側縁２１２がスライド部材２３の内側面部２３ｇに沿って進行するが、非正規カード２０１の幅寸法がカード１０１よりも小さいので、スライド部材２３と反対側（図７（ａ）における右側）において、シェル７１の側板部７４と非正規カード２０１の側縁２１２との間に隙（すき）間が生じる。すなわち、スライド部材２３の側（図７（ａ）における左側）においてスライド部材２３の内側面部２３ｇと非正規カード２０１の側縁２１２とは当接又は近接しているのに対し、スライド部材２３と反対側においては、シェル７１の側板部７４と非正規カード２０１の側縁２１２とは大きく離間している。
【００８７】
続いて、利用者が非正規カード２０１をプッシュして更に押込むと、スライド部材２３の内側面部２３ｇ及び前端保持部２３ｃが非正規カード２０１の側縁２１２及び前端２１１ｆを保持するので、前記非正規カード２０１は、スライド部材２３によって保持され、該スライド部材２３とともに、奥壁部１１ａに向けて移動する。
【００８８】
しかし、非正規カード２０１がある程度前進すると、図７（ａ）に示されるように、非正規カード２０１の前端２１１ｆにおける切欠部２１１ｃと反対側（図７（ａ）における右側）の端が誤挿入防止凸部２５の切欠部２５ｃに当接することによって非正規カード２０１の前進が阻止される。すなわち、非正規カード２０１は、その前端２１１ｆが誤挿入防止凸部２５の切欠部２５ｃに当接することによって停止する。この場合の非正規カード２０１の位置、すなわち、誤挿入防止凸部２５の切欠部２５ｃに当接することによる非正規カード２０１の停止位置、又は、非正規カード２０１を保持するスライド部材２３の停止位置は、ロック位置よりも挿入方向手前側、すなわち、奥壁部１１ａからより離れた位置である。なお、非正規カード２０１の前端２１１ｆは、カード検出スイッチの第１接点部材６２の当接部６２ｃに当接する位置である。そのため、第１接点部材６２の当接部６２ｃは、非正規カード２０１の前端２１１ｆによって前方に押出されて変位し、本体部６２ｂが第２接点部材６３の接触部６３ｂから離間している。これにより、第１接点部材６２と第２接点部材６３とが非接触となり、カード検出スイッチはオフになっている。
【００８９】
つまり、非正規カード２０１の誤挿入は、非正規カード２０１の前端２１１ｆが誤挿入防止凸部２５の切欠部２５ｃに当接することによって防止される。また、非正規カード２０１は、オーバーストローク位置どころかロック位置にも到達せずに停止させられるので、このまま利用者が非正規カード２０１をプッシュする動作を止めて該非正規カード２０１に対する押圧力を解除すると、付勢部材８２の反発力によって、非正規カード２０１は、後方に向けて移動させられ、挿入口１８から排出される。
【００９０】
次に、非正規カード２０１の第２の誤挿入として、前記第１の誤挿入と同様に非正規カード２０１を挿入している過程において、図７（ｂ）に示されるように、非正規カード２０１の姿勢が幅方向に傾いてしまった場合について説明する。
【００９１】
前記第１の誤挿入では、図７（ａ）に示されるように、スライド部材２３と反対側において、シェル７１の側板部７４と非正規カード２０１の側縁２１２との間に隙間が生じているので、何らかの原因で、例えば、利用者が手指等によって非正規カード２０１をプッシュする力に、図７（ａ）における右向きの成分が含まれているときのように、非正規カード２０１の後端２１１ｒを右方向に変位させるような外力が加えられると、非正規カード２０１は、図７（ｂ）に示されるように、その姿勢が右に傾いてしまう。
【００９２】
このように傾いた姿勢で非正規カード２０１がある程度前進すると、図７（ｂ）に示されるように、非正規カード２０１の前端２１１ｆにおける切欠部２１１ｃと反対側（図７（ｂ）における右側）の端が誤挿入防止凸部２５の補助切欠部２５ｂ内の補助後面部２５ｄに当接することによって非正規カード２０１の前進が阻止される。すなわち、非正規カード２０１は、その前端２１１ｆが誤挿入防止凸部２５の補助後面部２５ｄに当接することによって停止する。なお、非正規カード２０１の傾きは、その後端２１１ｒにおけるスライド部材２３と反対側の端がシェル７１の側板部７４に当接することによって制限される。すなわち、図７（ｂ）に示されるように、後端２１１ｒにおけるスライド部材２３と反対側の端がシェル７１の側板部７４に当接すれば、それ以上後端２１１ｒが右方向に変位することはない。
【００９３】
そして、停止した場合の非正規カード２０１の位置、すなわち、誤挿入防止凸部２５の補助後面部２５ｄに当接することによる非正規カード２０１の停止位置、又は、非正規カード２０１を保持するスライド部材２３の停止位置は、ロック位置よりも挿入方向手前側、すなわち、奥壁部１１ａからより離れた位置である。なお、非正規カード２０１の前端２１１ｆは、カード検出スイッチの第１接点部材６２の当接部６２ｃに当接する位置である。そのため、第１接点部材６２の当接部６２ｃは、非正規カード２０１の前端２１１ｆによって前方に押出されて変位し、本体部６２ｂが第２接点部材６３の接触部６３ｂから離間している。これにより、第１接点部材６２と第２接点部材６３とが非接触となり、カード検出スイッチはオフになっている。
【００９４】
つまり、非正規カード２０１の誤挿入は、非正規カード２０１の前端２１１ｆが誤挿入防止凸部２５の補助後面部２５ｄに当接することによって防止される。また、非正規カード２０１は、オーバーストローク位置どころかロック位置にも到達せずに停止させられるので、このまま利用者が非正規カード２０１をプッシュする動作を止めて該非正規カード２０１に対する押圧力を解除すると、付勢部材８２の反発力によって、非正規カード２０１は、後方に向けて移動させられ、挿入口１８から排出される。
【００９５】
次に、非正規カード２０１の第３の誤挿入として、図８（ａ）に示されるように、非正規カード２０１の姿勢をカード１０１の正規姿勢と同様の姿勢、すなわち、非正規カード２０１は、前端２１１ｆがハウジング１１の前端縁１１ｆの方を向き、下面２１１ａが底壁部１１ｂと対向し、上面２１１ｂがシェル７１の天板部７２と対向するような姿勢として、スライド部材２３の反対側に寄せてカード用コネクタ１の挿入口１８から挿入する場合について説明する。
【００９６】
この場合、非正規カード２０１は、切欠部２１１ｃの形成されていない方の側縁２１２がシェル７１の側板部７４に沿って進行するが、非正規カード２０１の幅寸法がカード１０１よりも小さいので、スライド部材２３の側（図８（ａ）における左側）において、スライド部材２３の内側面部２３ｇと非正規カード２０１の側縁２１２との間に隙間が生じる。すなわち、スライド部材２３と反対側（図８（ａ）における右側）において、シェル７１の側板部７４と非正規カード２０１の側縁２１２とは当接又は近接しているのに対し、スライド部材２３の側においては、スライド部材２３の内側面部２３ｇと非正規カード２０１の側縁２１２とは大きく離間している。
【００９７】
なお、スライド部材２３の前端保持部２３ｃは、ハウジング１１の幅方向の十分に広い範囲に亘（わた）って延在しているので、スライド部材２３の内側面部２３ｇと非正規カード２０１の側縁２１２とが大きく離間していても、非正規カード２０１の前端２１１ｆにおける少なくともスライド部材２３の側の端に当接して保持している。そのため、利用者が非正規カード２０１をプッシュして更に押込むと、スライド部材２３の前端保持部２３ｃが非正規カード２０１の前端２１１ｆを保持しているので、前記非正規カード２０１は、スライド部材２３によって保持され、該スライド部材２３とともに、奥壁部１１ａに向けて移動する。
【００９８】
しかし、非正規カード２０１がある程度前進すると、図８（ａ）に示されるように、非正規カード２０１の前端２１１ｆにおける切欠部２１１ｃと反対側（図８（ａ）における右側）の端が誤挿入防止凸部２５の後面部２５ａ又は切欠部２５ｃに当接することによって非正規カード２０１の前進が阻止される。すなわち、非正規カード２０１は、その前端２１１ｆが誤挿入防止凸部２５の後面部２５ａ又は切欠部２５ｃに当接することによって停止する。この場合の非正規カード２０１の位置、すなわち、誤挿入防止凸部２５の後面部２５ａ又は切欠部２５ｃに当接することによる非正規カード２０１の停止位置、又は、非正規カード２０１を保持するスライド部材２３の停止位置は、ロック位置よりも挿入方向手前側、すなわち、奥壁部１１ａからより離れた位置であって、非正規カード２０１の前端２１１ｆがカード検出スイッチの第１接点部材６２の当接部６２ｃに当接しない位置である。そのため、第１接点部材６２の本体部６２ｂが第２接点部材６３の接触部６３ｂとの接触を維持し、第１接点部材６２と第２接点部材６３とが接触となっていて、カード検出スイッチはオンのままになっている。
【００９９】
つまり、非正規カード２０１の誤挿入は、非正規カード２０１の前端２１１ｆが誤挿入防止凸部２５の後面部２５ａ又は切欠部２５ｃに当接することによって防止される。また、非正規カード２０１は、オーバーストローク位置どころかロック位置にも到達せずに停止させられるので、このまま利用者が非正規カード２０１をプッシュする動作を止めて該非正規カード２０１に対する押圧力を解除すると、付勢部材８２の反発力によって、非正規カード２０１は、後方に向けて移動させられ、挿入口１８から排出される。
【０１００】
次に、非正規カード２０１の第４の誤挿入として、前記第３の誤挿入と同様に非正規カード２０１を挿入している過程において、図８（ｂ）に示されるように、非正規カード２０１の姿勢が幅方向に傾いてしまった場合について説明する。
【０１０１】
前記第３の誤挿入では、図８（ａ）に示されるように、スライド部材２３の側において、内側面部２３ｇと非正規カード２０１の側縁２１２との間に隙間が生じているので、何らかの原因で、例えば、利用者が手指等によって非正規カード２０１をプッシュする力に、図８（ａ）における左向きの成分が含まれているときのように、非正規カード２０１の後端２１１ｒを左方向に変位させるような外力が加えられると、非正規カード２０１は、図８（ｂ）に示されるように、その姿勢が左に傾いてしまう。
【０１０２】
なお、スライド部材２３の前端保持部２３ｃは、ハウジング１１の幅方向の十分に広い範囲に亘って延在しているので、スライド部材２３の内側面部２３ｇと非正規カード２０１の側縁２１２とが大きく離間し、かつ、非正規カード２０１の姿勢が左に傾いていても、非正規カード２０１の前端２１１ｆにおける少なくともスライド部材２３の側の端に当接して保持している。
【０１０３】
このように傾いた姿勢で非正規カード２０１がある程度前進すると、図８（ｂ）に示されるように、非正規カード２０１の前端２１１ｆにおける切欠部２１１ｃと反対側（図８（ｂ）における右側）の端が誤挿入防止凸部２５の後面部２５ａ又は切欠部２５ｃに当接することによって非正規カード２０１の前進が阻止される。すなわち、非正規カード２０１は、その前端２１１ｆが誤挿入防止凸部２５の後面部２５ａ又は切欠部２５ｃに当接することによって停止する。なお、非正規カード２０１の傾きは、スライド部材２３の側の側縁２１２が挿入口凸部２６に当接することによって制限される。すなわち、図８（ｂ）に示されるように、スライド部材２３の側の側縁２１２が挿入口凸部２６に当接すれば、それ以上後端２１１ｒが左方向に変位することはない。
【０１０４】
そして、停止した場合の非正規カード２０１の位置、すなわち、誤挿入防止凸部２５の後面部２５ａ又は切欠部２５ｃに当接することによる非正規カード２０１の停止位置、又は、非正規カード２０１を保持するスライド部材２３の停止位置は、ロック位置よりも挿入方向手前側、すなわち、奥壁部１１ａからより離れた位置であって、非正規カード２０１の前端２１１ｆがカード検出スイッチの第１接点部材６２の当接部６２ｃに当接しない位置である。そのため、第１接点部材６２の本体部６２ｂが第２接点部材６３の接触部６３ｂとの接触を維持し、第１接点部材６２と第２接点部材６３とが接触となっていて、カード検出スイッチはオンのままになっている。
【０１０５】
つまり、非正規カード２０１の誤挿入は、非正規カード２０１の前端２１１ｆが誤挿入防止凸部２５の後面部２５ａ又は切欠部２５ｃに当接することによって防止される。また、非正規カード２０１は、オーバーストローク位置どころかロック位置にも到達せずに停止させられるので、このまま利用者が非正規カード２０１をプッシュする動作を止めて該非正規カード２０１に対する押圧力を解除すると、付勢部材８２の反発力によって、非正規カード２０１は、後方に向けて移動させられ、挿入口１８から排出される。
【０１０６】
次に、非正規カード２０１の第５の誤挿入として、図９（ａ）及び（ｂ）に示されるように、非正規カード２０１の表裏を逆にした姿勢、すなわち、非正規カード２０１は、前端２１１ｆがハウジング１１の前端縁１１ｆの方を向き、上面２１１ｂが底壁部１１ｂと対向し、下面２１１ａがシェル７１の天板部７２と対向するような姿勢として、スライド部材２３側に寄せてカード用コネクタ１の挿入口１８から挿入する場合について説明する。
【０１０７】
この場合、非正規カード２０１は、切欠部２１１ｃの形成されていない方の側縁２１２がスライド部材２３の内側面部２３ｇに沿って進行するが、非正規カード２０１の幅寸法がカード１０１よりも小さいので、スライド部材２３と反対側（図９（ａ）及び（ｂ）における右側）において、シェル７１の側板部７４と非正規カード２０１の側縁２１２との間に隙間が生じる。すなわち、スライド部材２３の側（図９（ａ）及び（ｂ）における左側）においてスライド部材２３の内側面部２３ｇと非正規カード２０１の側縁２１２とは当接又は近接しているのに対し、スライド部材２３と反対側においては、シェル７１の側板部７４と非正規カード２０１の側縁２１２とは大きく離間している。
【０１０８】
続いて、利用者が非正規カード２０１をプッシュして更に押込むと、スライド部材２３の内側面部２３ｇ及び前端保持部２３ｃが非正規カード２０１の側縁２１２及び前端２１１ｆを保持するので、前記非正規カード２０１は、スライド部材２３によって保持され、該スライド部材２３とともに、奥壁部１１ａに向けて移動する。そして、スライド部材２３及び非正規カード２０１は、図９（ａ）に示されるように、最も前進した位置であるオーバーストローク位置に到達してオーバーストローク状態となる。
【０１０９】
非正規カード２０１は、切欠部２１１ｃの存在によって、前端２１１ｆにおける幅寸法がカード１０１よりもかなり小さいので、切欠部２１１ｃの形成されていない方の側縁２１２がスライド部材２３の内側面部２３ｇに沿って進行する場合には、前端２１１ｆが誤挿入防止凸部２５に当接しない。しかし、スライドカム部２１の上面に形成されたカム溝２２と係合しているピン部材８１の自由端が、カム溝２２の一部に掛止されてスライド部材２３の動きを停止させることによって、該スライド部材２３を前記オーバーストローク位置で停止させるようになっているので、非正規カード２０１も前記オーバーストローク位置で停止する。
【０１１０】
続いて、利用者が非正規カード２０１をプッシュする動作を止め、該非正規カード２０１に対する押圧力を解除すると、付勢部材８２の反発力によって、スライド部材２３及び非正規カード２０１は奥壁部１１ａから離脱する向きに、すなわち、後方に向けて移動させられる。そして、スライド部材２３及び非正規カード２０１は、図９（ｂ）に示されるように、ロック位置で停止する。これは、スライドカム部２１の上面に形成されたカム溝２２と係合しているピン部材８１の自由端が、カム溝２２の一部に掛止されてスライド部材２３の動きを停止させることによって、該スライド部材２３を前記ロック位置で停止させているからである。
【０１１１】
なお、非正規カード２０１がロック位置及びオーバーストローク位置に保持されている場合、カード検出スイッチの第１接点部材６２の当接部６２ｃは、非正規カード２０１の前端２１１ｆによって前方に押出されて変位し、本体部６２ｂが第２接点部材６３の接触部６３ｂから離間している。これにより、第１接点部材６２と第２接点部材６３とが非接触となり、カード検出スイッチはオフになっている。
【０１１２】
しかし、非正規カード２０１は、ロック位置に保持されることによって、コンタクトパッド２６１が配設されている下面２１１ａがシェル７１の天板部７２と対向するような姿勢なので、カード用コネクタ１の後側端子５１及び前側端子６１のいずれも、コンタクトパッド２６１と導通することはない。そのため、非正規カード２０１とカード用コネクタ１が実装された電子機器の演算手段等との間でデータの送受信が行われることはない。
【０１１３】
そして、データの送受信が行われないことによって、非正規カード２０１を挿入したことに気が付いた利用者が手指等により非正規カード２０１をプッシュして押込むと、スライド部材２３及び非正規カード２０１は、ロック位置から奥壁部１１ａに向けて移動させられる。そして、利用者が非正規カード２０１をプッシュして更に押込むと、スライド部材２３及び非正規カード２０１は、最も前進した位置であるオーバーストローク位置に到達してオーバーストローク状態となる。
【０１１４】
続いて、利用者が非正規カード２０１をプッシュする動作を止め、該非正規カード２０１に対する押込力を解除すると、付勢部材８２の付勢力によって、オーバーストローク位置に位置しているスライド部材２３及び非正規カード２０１は、奥壁部１１ａから離脱する向きに移動させられ、挿入方向と反対の方向に移動させられる。そして、スライド部材２３及び非正規カード２０１は、ロック位置を通過して後方に向けて更に移動し、非正規カード２０１が挿入口１８から排出される。
【０１１５】
つまり、非正規カード２０１が誤挿入されても、カード１０１が挿入された場合の動作が行われないだけであって、非正規カード２０１も、カード用コネクタ１も、該カード用コネクタ１が実装された電子機器も、誤動作が行われることがない。また、カード１０１を排出させる場合と同様のプッシュ動作を行うことによって、非正規カード２０１は、後方に向けて移動させられ、挿入口１８から排出される。
【０１１６】
次に、非正規カード２０１の第６の誤挿入として、前記第５の誤挿入と同様に非正規カード２０１の表裏を逆にした姿勢で、前記第５の誤挿入とは逆にスライド部材２３の反対側に寄せてカード用コネクタ１の挿入口１８から挿入している過程において、図１０に示されるように、非正規カード２０１の姿勢が幅方向に傾いてしまった場合について説明する。
【０１１７】
この場合、スライド部材２３の側において、内側面部２３ｇと非正規カード２０１の側縁２１２との間に隙間が生じているので、何らかの原因で、例えば、利用者が手指等によって非正規カード２０１をプッシュする力に、図１０における左向きの成分が含まれているときのように、非正規カード２０１の後端２１１ｒを左方向に変位させるような外力が加えられると、非正規カード２０１は、図１０に示されるように、その姿勢が左に傾いてしまう。
【０１１８】
なお、スライド部材２３の前端保持部２３ｃは、ハウジング１１の幅方向の十分に広い範囲に亘って延在しているので、スライド部材２３の内側面部２３ｇと非正規カード２０１の側縁２１２とが大きく離間し、かつ、非正規カード２０１の姿勢が左に傾いていても、非正規カード２０１の前端２１１ｆにおける少なくともスライド部材２３の側の端に当接して保持している。
【０１１９】
このように傾いた姿勢で非正規カード２０１がある程度前進すると、図１０に示されるように、非正規カード２０１の前端２１１ｆにおける切欠部２１１ｃの側（図１０における右側）の端が誤挿入防止凸部２５の後面部２５ａ又は切欠部２５ｃに当接することによって非正規カード２０１の前進が阻止される。すなわち、非正規カード２０１は、その前端２１１ｆが誤挿入防止凸部２５の後面部２５ａ又は切欠部２５ｃに当接することによって停止する。なお、非正規カード２０１の傾きは、スライド部材２３の側の側縁２１２が挿入口凸部２６に当接することによって制限される。すなわち、図１０に示されるように、スライド部材２３の側の側縁２１２が挿入口凸部２６に当接すれば、それ以上後端２１１ｒが左方向に変位することはない。
【０１２０】
そして、停止した場合の非正規カード２０１の位置、すなわち、誤挿入防止凸部２５の後面部２５ａ又は切欠部２５ｃに当接することによる非正規カード２０１の停止位置、又は、非正規カード２０１を保持するスライド部材２３の停止位置は、ロック位置よりも挿入方向手前側、すなわち、奥壁部１１ａからより離れた位置であって、非正規カード２０１の前端２１１ｆがカード検出スイッチの第１接点部材６２の当接部６２ｃに当接しない位置である。そのため、第１接点部材６２の本体部６２ｂが第２接点部材６３の接触部６３ｂとの接触を維持し、第１接点部材６２と第２接点部材６３とが接触となっていて、カード検出スイッチはオンのままになっている。
【０１２１】
つまり、非正規カード２０１の誤挿入は、非正規カード２０１の前端２１１ｆが誤挿入防止凸部２５の後面部２５ａ又は切欠部２５ｃに当接することによって防止される。また、非正規カード２０１は、オーバーストローク位置どころかロック位置にも到達せずに停止させられるので、このまま利用者が非正規カード２０１をプッシュする動作を止めて該非正規カード２０１に対する押圧力を解除すると、付勢部材８２の反発力によって、非正規カード２０１は、後方に向けて移動させられ、挿入口１８から排出される。
【０１２２】
なお、利用者が、非正規カード２０１を、以上説明した以外の姿勢、例えば、後端２１１ｒがハウジング１１の前端縁１１ｆの方を向くような姿勢でカード用コネクタ１の挿入口１８から挿入した場合であっても、また、スライド部材２３側にも、スライド部材２３の反対側にも寄せずにカード用コネクタ１の挿入口１８から挿入した場合であっても、非正規カード２０１の誤挿入が防止されること、又は、誤挿入されても排出可能であることは、以上の説明から容易に理解し得る。
【０１２３】
また、本実施の形態においては、カード１０１の前側端子６１の構成が後側端子５１の構成と異なるものとして説明したが、前側端子６１の構成は後側端子５１の構成と同様であってもよい。
【０１２４】
さらに、本実施の形態においては、カード１０１が前側コンタクトパッド１６１及び後側コンタクトパッド１５１を備え、それに対応して、カード用コネクタ１が前側端子６１と後側端子５１とを有するものとして説明したが、前記カード１０１は、前側コンタクトパッド１６１を備えておらず、後側コンタクトパッド１５１のみを備えるものであってもよく、その場合、カード用コネクタ１も、前側端子６１を有しておらず、後側端子５１のみを有するものであってもよい。
【０１２５】
このように、本実施の形態において、カード用コネクタ１は、少なくとも後側コンタクトパッド１５１を備えるカード１０１を収容するハウジング１１と、ハウジング１１に取付けられ、少なくともカード１０１の後側コンタクトパッド１５１と接触する後側端子５１と、ハウジング１１に挿入されたカード１０１を保持してスライドするスライド部材２３、及び、スライド部材２３をカード１０１の挿入方向と反対の方向に付勢する付勢部材８２を備え、カード１０１をロック位置で保持してカード１０１の後側コンタクトパッド１５１が後側端子５１と接触している状態を維持し、ロック位置で保持されているカード１０１を挿入方向に押込むプッシュ動作によってカード１０１が挿入方向に移動してオーバーストローク位置まで到達すると、付勢部材８２の付勢力によって、カード１０１をオーバーストローク位置から挿入方向と反対の方向に移動させて排出するカード案内機構と、ハウジング１１に取付けられ、少なくともハウジング１１及びハウジング１１に挿入されたカード１０１の一部を覆うシェル７１とを有する。そして、スライド部材２３は、ハウジング１１の前端縁１１ｆに向けて延出する側縁保持部２３ｂと、側縁保持部２３ｂの前端に連結され、ハウジング１１の幅方向に延在する前端保持部２３ｃとを含み、ハウジング１１の底壁部１１ｂの一方の側縁に沿って前後方向にスライド可能であり、ハウジング１１は、前端縁１１ｆにおけるスライド部材２３の反対側に形成され、誤挿入されたカード１０１の前端１１１ｆ又は後端１１１ｒが当接する誤挿入防止凸部２５を含む。
【０１２６】
これにより、カード用コネクタ１は、簡素な構成でありながら、正規種類のカード１０１の奥深くまでの誤挿入を確実に防止することができるとともに、正規種類のカード１０１と同等の長さ寸法でありながらより小さな幅寸法の非正規カード２０１の奥深くまでの誤挿入も確実に防止することができ、誤挿入されたカード１０１又は非正規カード２０１であっても確実に取出すことができ、信頼性を高くすることができる。
【０１２７】
また、誤挿入防止凸部２５は斜めに切欠かれた切欠部２５ｃを含み、カード１０１は、その前端１１１ｆの一端に形成された切欠部１１１ｃを含み、正規挿入されると、切欠部１１１ｃが誤挿入防止凸部２５の切欠部２５ｃに対向する。これにより、誤挿入された正規種類のカード１０１又は非正規カード２０１は、誤挿入防止凸部２５に当接するので、カード用コネクタ１の奥深くまで進入して、ロック位置やオーバーストローク位置に到達することが確実に防止される。一方、正規挿入された正規種類のカード１０１は、誤挿入防止凸部２５に当接することなく、ロック位置やオーバーストローク位置に到達することができる。
【０１２８】
さらに、前端保持部２３ｃの少なくとも先端は、表裏を逆にした姿勢で誤挿入されたカード１０１の前端１１１ｆにおける切欠部１１１ｃ外の範囲に当接する。このように、前端保持部２３ｃの長さが設定されているので、スライド部材２３は、表裏を逆にした姿勢で誤挿入されたカード１０１であっても保持することができ、利用者がカード１０１をプッシュする動作を止めると、付勢部材８２の反発力によって、誤挿入されたカード１０１が確実に排出される。
【０１２９】
さらに、ハウジング１１は、後端縁１１ｒにおけるスライド部材２３側に形成された挿入口凸部２６を含み、カード１０１と異なる種類のカードであって、カード１０１よりも幅の狭い非正規カード２０１が幅方向に傾いて誤挿入されると、挿入口凸部２６又はシェル７１の側板部７４が非正規カード２０１の側縁２１２に当接し、非正規カード２０１の幅方向の傾きを規制する。このように、非正規カード２０１の幅方向の傾きが規制されるため、カード１０１よりも幅の狭い非正規カード２０１であっても、あまり大きく傾いた姿勢で挿入されることがないので、カード用コネクタ１内において引掛って取出しが不可能になってしまうことがない。したがって、カード１０１よりも幅の狭い非正規カード２０１が誤挿入されても、確実に取出すことができる。
【０１３０】
なお、本発明は前記実施の形態に限定されるものではなく、本発明の趣旨に基づいて種々変形させることが可能であり、それらを本発明の範囲から排除するものではない。
【産業上の利用可能性】
【０１３１】
本発明は、カード用コネクタに適用することができる。
【符号の説明】
【０１３２】
１    カード用コネクタ
１１    ハウジング
１１ａ    奥壁部
１１ｂ    底壁部
１１ｃ    後側端子保持凹部
１１ｄ    前側端子保持凹部
１１ｅ    側壁部
１１ｆ    前端縁
１１ｇ    付勢部材収容部
１１ｈ    カード案内機構収容部
１１ｉ、２３ｆ、８２６ｂ    係止突起
１１ｊ    仕切壁部
１１ｒ    後端縁
１３    掛止突起
１８    挿入口
２１    スライドカム部
２２    カム溝
２３    スライド部材
２３ａ    カード保持部
２３ｂ    側縁保持部
２３ｃ    前端保持部
２３ｄ    ガイド部
２３ｅ    カム係合部
２３ｇ    内側面部
２５    誤挿入防止凸部
２５ａ    後面部
２５ｂ    補助切欠部
２５ｃ、１１１ｃ、２１１ｃ    切欠部
２５ｄ    補助後面部
２６    挿入口凸部
５１    後側端子
５１ａ、６１ａ    基部
５１ｂ、６１ｂ    接触腕部
５１ｃ、６１ｃ、６３ｂ    接触部
５１ｄ、６１ｄ    ソルダーテール部
５１ｇ    開口部
６１    前側端子
６２    第１接点部材
６２ａ、６３ａ    取付部
６２ｂ、８２３ｂ    本体部
６２ｃ    当接部
６３    第２接点部材
７１    シェル
７２    天板部
７３    掛止開口
７４    側板部
７５    ピン押え部材
８１    ピン部材
８２    付勢部材
１０１    カード
１１１ａ、２１１ａ    下面
１１１ｂ、２１１ｂ    上面
１１１ｆ、２１１ｆ    前端
１１１ｒ、２１１ｒ    後端
１１２、２１２    側縁
１５１    後側コンタクトパッド
１６１    前側コンタクトパッド
２０１    非正規カード
２６１    コンタクトパッド
８２３    スライダ
８２３ｃ    保持部
８２４    傾斜当接部
８２５    面
８２６    弾性変形部
８２６ａ    傾斜面
【図１】
0005749589.tif 000002
【図２】
0005749589.tif 000003
【図３】
0005749589.tif 000004
【図４】
0005749589.tif 000005
【図５】
0005749589.tif 000006
【図６】
0005749589.tif 000007
【図７】
0005749589.tif 000008
【図８】
0005749589.tif 000009
【図９】
0005749589.tif 000010
【図１０】
0005749589.tif 000011
【図１１】
0005749589.tif 000012